(57)【要約】【課題】  財布全体を構成する生地に柔軟性を持たせ、財布のゆがみを防止する財布を提供することを目的とする。【解決手段】  略Ｕ字状に折り曲げられた帯状部材１０３からなる硬貨収納部１０４と蛇腹状に形成される紙幣収納部１０５とからなる貨幣収納部１０１と、貨幣収納部１０１に一部が接続され貨幣収納部１０１の上方を覆うような長さで形成される意匠カバー１０２と、から構成される財布１００であって、硬貨収納部１０４と紙幣収納部１０５と意匠カバー１０２は、財布１００の長さ方向両端部近傍においてそれぞれ互いに縫合されるとともに、その最底部から所定の高さの位置で縫合するようにする。【選択図】  図１
0003139197.tif 000002
【実用新案登録請求の範囲】
【請求項１】
主に硬貨類を収納する硬貨収納部と主に紙幣類を収納する紙幣収納部とからなる貨幣収納部と、該貨幣収納部に一部が縫合され該貨幣収納部の上方を覆うような長さで形成される意匠カバーと、から構成される財布であって、
前記貨幣収納部は、長さ方向両端部近傍において前記意匠カバーと互いに縫合されるとともに、その最底部から所定の高さの位置で縫合されていることを特徴とする財布。
【請求項２】
前記貨幣収納部は、前記硬貨収納部と前記紙幣収納部とが長さ方向両端部近傍において互いに縫合されるとともに、その最底部から所定の高さの位置で縫合されていることを特徴とする請求項１に記載の財布。
【請求項３】
前記貨幣収納部および前記意匠カバーは、柔軟性を有する部材で形成されていることを特徴とする請求項１または請求項２に記載の財布。
【考案の詳細な説明】
【技術分野】
【０００１】
本考案は、財布に関し、特に、硬貨や紙幣あるいはカード類を収納した時の型崩れを防止することができる財布に関する。
【背景技術】
【０００２】
従来からキャッシュカードやクレジットカード等のカード類を収納するカード類収納部と、紙幣や硬貨を収納する貨幣類収納部とを備えた財布がある。このような財布は、カード類収納部（カード収容構造）において、例えば、収容するカード類の両端をその溝相互間で挟み込むために対向する蛇腹状の挟持壁と、その挟持壁相互間に形成されるカード類の収容域とを具備し、カード類をその収容域に出し入れするときに対向する挟持壁の蛇腹状の溝の相互間間隔を拡大可能に構成されている（特許文献１）。
【０００３】
図３は、この特許文献１で提案されている財布を示す図であり、この財布は、カード収納部５と、貨幣収納部４とが形成された財布本体１と、一端側が財布本体１の背面と接続されると共に、他端側が財布本体の正面と嵌脱可能に構成され、カード収納部５と貨幣収納部４の上方を覆う意匠カバー２とを備えている。このカード収納部５は、平面視略葛折状に折り曲げられた側壁１４が財布本体１の幅方向に所要の間隔をおいて並設されると共に、外方に向かって突設される山部同士を隔壁１６で接続させて複数個の袋状に形成されており、そのカード収納部５を財布本体１の背面側に配設させている。
【０００４】
一方、意匠カバー２は、図３および図４に示すように、略Ｕ字状に折り曲げられた一枚の帯状意匠部材からなり、一端が財布本体１を構成する帯状部材３の背面に重なるように縫合されていると共に、他端は財布本体１を構成する帯状部材３の正面に雌雄一対のホック１８を介して嵌脱可能になっている。このように構成された意匠カバー２をもって財布本体１をその上部から被装させると共に、ホック１８を外して開くことにより財布本体１上部を露出するようにしている。
【特許文献１】登録実用新案第３１２５３６８号公報
【考案の開示】
【考案が解決しようとする課題】
【０００５】
しかしながら、特許文献１で提案されている財布では、意匠カバー２が財布本体１の下端から上端を介して外側を巻き回して閉じる構成となっているため、以下のような問題がある。
即ち、貨幣収納部４とカード収納部５とに多量の硬貨や紙幣あるいはカードを収納した場合、財布本体１が幅方向に膨らんでしまい、そのままの状態で意匠カバー２で巻き回して財布本体１をその上部から被装すると、貨幣収納部４とカード収納部５の上部と下部とが財布本体１の厚さ方向に狭くなって、財布全体がゆがみ、不恰好な形状になってしまうという問題がある。
【０００６】
また、通常、財布に用いる生地は牛革等の革製品が主流であり、生地的には比較敵柔らかいため、貨幣収納部やカード収納部の仕切り等には、芯が封入された厚めの裏地を用いることで財布全体の剛性を高めて型崩れを防止しているが、上記のように、多量の硬貨や紙幣あるいはカード類等を収納すると、生地や仕切りが硬貨や紙幣あるいはカードを互いに圧迫してしまい、その結果、上記と同様に財布全体がゆがみ、不恰好な形状になってしまう。
【０００７】
従って、本発明の目的は、財布全体を構成する生地に柔軟性を持たせ、財布のゆがみを防止する財布を提供することにある。
【課題を解決するための手段】
【０００８】
本発明は、上記の目的を達成するために、主に硬貨類を収納する硬貨収納部と主に紙幣類を収納する紙幣収納部とからなる貨幣収納部と、該貨幣収納部に一部が縫合され該貨幣収納部の上方を覆うような長さで形成される意匠カバーと、から構成される財布であって、前記貨幣収納部は、長さ方向両端部近傍において前記意匠カバーと互いに縫合されるとともに、その最底部から所定の高さの位置で縫合されていることを特徴とする財布を提供するものである。
【０００９】
以上の構成において、前記貨幣収納部は、前記硬貨収納部と前記紙幣収納部とが長さ方向両端部近傍において互いに縫合されるとともに、その最底部から所定の高さの位置で縫合されていることが望ましい。
【００１０】
また、前記貨幣収納部および前記意匠カバーは、柔軟性を有する部材で形成されていることが望ましい。
【考案の効果】
【００１１】
本考案によれば、主に硬貨類を収納する硬貨収納部と主に紙幣類を収納する紙幣収納部とからなる貨幣収納部と、該貨幣収納部に一部が縫合され該貨幣収納部の上方を覆うような長さで形成される意匠カバーと、から構成される財布であって、貨幣収納部と意匠カバーとをその長さ方向両端部近傍において互いに縫合するとともに、その最底部から所定の高さの位置で縫合するようにしたので、財布本体の上方のみを覆って閉じることで、財布本体に硬貨や紙幣あるいはカード類を収納した時に、財布本体の下方が幅方向に十分に広がることができるため、財布全体が歪んだり、不恰好な形状なったりすることを防止することができる。
【考案を実施するための最良の形態】
【００１２】
以下、添付図面を参照しながら、本考案の実施の形態に係る財布について詳細に説明する。
図１は、本実施の形態に係る財布を見開いた状態を示す斜視図である。
図に示すように、この財布１００は、硬貨や紙幣を収納する貨幣収納部１０１とこの貨幣収納部１０１を覆う意匠カバー１０２とを備え、これらが縫合によって一体化されている。
この貨幣収納部１０１は、専ら硬貨を収納する硬貨収納部１０４と、専ら紙幣を収納する紙幣収納部１０５とから構成されている。このうち、硬貨収納部１０４は、一枚の柔軟性を有する帯状部材１０３を略Ｕ字状に折り曲げて形成されたものであり、その両端には、内方に向かって折り曲げられた側壁１０６が一対で縫合されている。また、略Ｕ字状に折り曲げられた帯状部材１０３の開口側には、ファスナー１０７が設けられており、このファスナー１０７によって硬貨収納部１０４が開閉可能に形成されている。また、この貨幣収納部の外表面（図では最左側）には、後述する意匠カバー１０２に設けられた雄ホック１１３と嵌脱可能な雌ホック１１２が設けられている。
【００１３】
なお、硬貨収納部１０４を構成する帯状部材１０３の内面には、裏地として化学繊維等で形成された布地が縫合されており、この裏地と帯状部材１０３の表面との間には、クッション性を有する素材からなる吸収部材（図示せず）が内包されている。この吸収部材は、貨幣収納部１０４内に大量の硬貨を収納した時に、大量の硬貨が硬貨収納部１０４の内部からの圧迫を吸収して硬貨収納部１０４自体が膨らんだり、あるいは、歪んだりすることを防止する。
【００１４】
一方、紙幣収納部１０５は、柔軟性を有する部材で形成されており、形状的には山谷を有する蛇腹状に形成されている。そして、この蛇腹の谷部同士を柔軟性を有する仕切り部材１１１によって接続し仕切ることによって、２つの紙幣収納スペース１０８，１０９を形成している。蛇腹の底部（図では下方向）は縫合されており、従って、上部が開口した状態となっている。なお、図では仕切り部材１１１によって仕切られる紙幣収納スペースは２つとなっているが、これに限られるものではなく、蛇腹を形成する山谷の数にあわせて複数の紙幣収納スペースを形成することができる。
【００１５】
なお、この蛇腹状に形成された紙幣収納部１０５は、硬貨収納部１０４に長さ方向両端部近傍で縫糸等により縫合されている。このように縫合することによって、紙幣収納部１０５よりは長さ方向において短い収納スペース１１０Ａを形成している。この収納スペースは、紙幣収納部１０５に比較して長さが短いので、紙幣以外の紙片等を収納するのに便利である。なお、この縫合の深さ方向の長さは、深さ方向全長にわたるものではなく、最底部から所定の高さの位置で縫合するようにしている。
【００１６】
また、この紙幣収納部１０５は、後述する意匠カバー１０２とも長さ方向両端部近傍で縫糸等により縫合されている。これにより、上述と同様に、紙幣収納部１０５よりは長さ方向において短い収納スペース１１０Ｂを形成している。この収納スペース１１０Ｂも、紙幣収納部１０５に比較して長さが短いので、紙幣以外の紙片等を収納するのに便利である。なお、この縫合の深さ方向の長さもまた、深さ方向全長にわたるものではなく、最底部から所定の高さの位置で縫合するようにしている。
【００１７】
意匠カバー１０２は、２枚の柔軟性を有する生地を袋縫いしたものであり、その下部領域は前述したとおり、紙幣収納部１０５と長さ方向両端部近傍で縫糸等により縫合されている。その上部領域には、前述した硬貨収納部外表面側の雌ホック１１２に嵌脱可能な雄ホック１１３が設けられている。また、その中間領域には、ファスナー１１６が設けられている。このファスナー１１６を開けることで、袋縫いされた意匠カバー１０２内にも収納スペースを形成することができ、この収納部にも紙幣やカード類その他の物を収納することができる。
【００１８】
また、意匠カバー１０２には、キャッシュカードやクレジットカード等のカード類を収納するカード類収納部１１４が設けられている。カード類収納部１１４は、略同一形状の複数の仕切り１１５を意匠カバー１０２の長手方向に沿って階段状に重ね、両端を縫合し、そして、その仕切り１１５の中央付近を縫合することによって形成される。これにより、カード類収納部１１４は、図１に示すように、長手方向に４列のカード類差込口を中央付近で意匠カバー１０２と縫合することで、計８枚のカード類差込口を形成することができる。なお、図では、カード類収納部１１４の列を４列としているが、３列、５列でもよく、適宜選択可能である。
【００１９】
図２は、意匠カバー１０２を折り曲げ、貨幣収納部１０１を上部から被装し、ホック１１２，１１３を嵌合させた状態を示した図である。
図に示すように、財布１００の上方を意匠カバー１０２で被装すると、硬貨収納部１０４および紙幣収納部１０５からなる貨幣収納部１０１の上端部は、厚さ方向に締め付けられるものの、下端部分は、最底部より所定の高さの位置で縫合されているため硬貨や紙幣の厚さ分だけ厚さ方向に広がることができる。このため、財布１００全体が歪んだり、不恰好な形状になったりすることを防止することができる。
【００２０】
なお、本実施の形態に係る財布においては、貨幣収納部１０１や意匠カバー１０２に使用する素材は、柔軟性を有するように加工された生地であれば何を用いても良い。
【００２１】
以上の説明から、本考案の財布では、貨幣収納部の背面に縫合される袋縫いされた意匠カバーが、貨幣収納部の上方のみを被装する。これにより、大量の硬貨や紙幣あるいはカード類を収納したときに、貨幣収納部の下部が幅方向に十分に広がることができるため、財布全体の形状が歪んだり、不恰好になったりすることを防止することができる。
【００２２】
また、意匠カバーが袋縫いされているため、意匠カバーを閉じた時に、貨幣収納部の膨らみを吸収することができる。従って、財布全体の形状の膨らみを防止することができる。
【図面の簡単な説明】
【００２３】
【図１】本考案に係る財布の見開いた状態を示した斜視図である。
【図２】意匠カバーを閉じた時の状態を示した図である。
【図３】従来の財布を示す図であり意匠カバーを開いた状態を示す図である。
【図４】従来の財布を示す図であり意匠カバーを閉じた状態を示す図である。
【符号の説明】
【００２４】
１００    財布
１０１    貨幣収納部
１０２    意匠カバー
１０３    帯状部材
１０４    硬貨収納部
１０５    紙幣収納部
１０６    側壁
１０７    ファスナー
１０８    紙幣収納スペース
１０９    紙幣収納スペース
１１０Ａ，１１０Ｂ  収納スペース
１１１    仕切り部材
１１２    雌ホック
１１３    雄ホック
１１４    カード類収納部
１１５    仕切り
１１６    ファスナー
【図１】
0003139197.tif 000003
【図２】
0003139197.tif 000004
【図３】
0003139197.tif 000005
【図４】
0003139197.tif 000006